(57)【要約】【課題】第２ハウジングに備えた接続部に第１プラグを差し込んで使用するときに、従来に比べて狭いスペースでも使用できるようにする【解決手段】第１形式の差込口の交流電源に差し込み可能な第１プラグ１を、外部に突出した突出姿勢と内部に引退した引退姿勢とに切り換え可能に保持すると共に、第１プラグから得た交流を直流に変換する変換回路を備えた第１ハウジングＡ、および、第２形式の差込口の交流電源に差し込み可能な第２プラグ３と、第２プラグに電気的に接続され、第１プラグに差し込み可能な接続部４とを備えた第２ハウジングＢを有し、引退姿勢にある第１プラグが接続部に差し込まれるように、第１ハウジングと第２ハウジングとの相対姿勢を決定する係合部１９および被係合部２７を第１ハウジングと第２ハウジングとに各別に形成してある。【選択図】図４
2010251111.tif 000002
【特許請求の範囲】
【請求項１】
第１形式の差込口を有する交流電源に差し込み可能な第１プラグを、外部に突出した突出姿勢と内部に引退した引退姿勢とに切り換え可能に保持すると共に、当該第１プラグから得た交流を直流に変換する変換回路を備えた第１ハウジング、および、
第２形式の差込口を有する交流電源に差し込み可能な第２プラグと、当該第２プラグに電気的に接続され、前記第１プラグに差し込み可能な接続部とを備えた第２ハウジングを有し、
引退姿勢にある前記第１プラグが前記接続部に差し込まれるように、前記第１ハウジングと前記第２ハウジングとの相対姿勢を決定する係合部および被係合部を、前記第１ハウジングと前記第２ハウジングとに各別に形成してある電源装置。
【請求項２】
前記第１プラグの前記接続部に対する差し込み方向と、前記第２プラグの前記第２形式の差込口に対する差し込み方向とが互いに交差している請求項１記載の電源装置。
【請求項３】
前記第１プラグの前記接続部に対する差し込み方向と、前記第２プラグの前記第２形式の差込口に対する差し込み方向とが互いに交差しない請求項１記載の電源装置。
【請求項４】
前記係合部と前記被係合部との係合で、前記第１プラグの前記接続部に対する差し込み方向と交差する方向への前記第１ハウジングと前記第２ハウジングとの相対変位が規制されている請求項１から３の何れか一項に記載の電源装置。
【発明の詳細な説明】
【技術分野】
【０００１】
本発明は、第１形式の差込口を有する交流電源に差し込み可能な第１プラグを、外部に突出した突出姿勢と内部に引退した引退姿勢とに切り換え可能に保持すると共に、当該第１プラグから得た交流を直流に変換する変換回路を備えた第１ハウジング、および、第２形式の差込口を有する交流電源に差し込み可能な第２プラグと、当該第２プラグに電気的に接続され、前記第１プラグに差し込み可能な接続部とを備えた第２ハウジングを有する電源装置に関する。
【背景技術】
【０００２】
交流電源の差込口に差し込まれるプラグには、差込口の形式に応じて２枚刃プラグや丸ピンプラグ，３枚刃プラグなどがある。
上記電源装置は、第１プラグを交流電源の第１形式の差込口に差し込むことにより、当該第１プラグから得た交流電力を直流電力に変換して直流電子機器などに供給できるように構成してある。
第１プラグを第１ハウジングの外部に突出した突出姿勢と内部に引退した引退姿勢とに切り換え可能に第１ハウジングに保持して、不使用時には第１プラグを引退姿勢に切り換えることによりコンパクトに保管できるように構成してある。
交流電源が第１形式の差込口を備えておらず、第２形式の差込口を備えている場合は、第１プラグを第２ハウジングに備えた接続部に差し込むと共に、第２ハウジングに備えた第２プラグを第２形式の差込口に差し込むことにより、第２プラグから得た交流電力を直流電力に変換して直流電子機器などに供給できるように構成してある。
従来の電源装置では、突出姿勢の第１プラグに差し込み可能で、引退姿勢の第１プラグに差し込み不能な接続部が第２ハウジングに設けられている（例えば、特許文献１参照。）。
【先行技術文献】
【特許文献】
【０００３】
【特許文献１】特開２００２−１９８１４６号公報
【発明の概要】
【発明が解決しようとする課題】
【０００４】
第２ハウジングに備えた接続部を突出姿勢の第１プラグに差し込むので、接続部を第１プラグに差し込んである状態では、第２ハウジングの少なくとも接続部を設けてある部分が第１ハウジングの外部に突出している。
したがって、第２ハウジングに備えた接続部に第１プラグを差し込んで使用するときに、第１ハウジングと、第２ハウジングの少なくとも接続部を設けてある部分とを収容できるだけのスペースを必要とする欠点がある。
本発明は上記実情に鑑みてなされたものであって、第２ハウジングに備えた接続部に第１プラグを差し込んで使用するときに、従来に比べて狭いスペースでも使用できるようにすることを目的とする。
【課題を解決するための手段】
【０００５】
本発明の第１特徴構成は、第１形式の差込口を有する交流電源に差し込み可能な第１プラグを、外部に突出した突出姿勢と内部に引退した引退姿勢とに切り換え可能に保持すると共に、当該第１プラグから得た交流を直流に変換する変換回路を備えた第１ハウジング、および、第２形式の差込口を有する交流電源に差し込み可能な第２プラグと、当該第２プラグに電気的に接続され、前記第１プラグに差し込み可能な接続部とを備えた第２ハウジングを有し、引退姿勢にある前記第１プラグが前記接続部に差し込まれるように、前記第１ハウジングと前記第２ハウジングとの相対姿勢を決定する係合部および被係合部を、前記第１ハウジングと前記第２ハウジングとに各別に形成してある点にある。
【０００６】
本構成の電源装置であれば、第１ハウジングの内部に引退した引退姿勢にある第１プラグが接続部に差し込まれるように、第１ハウジングと第２ハウジングとの相対姿勢が決定されるので、接続部が第１プラグに差し込まれた状態では、第２ハウジングの少なくとも接続部を設けてある部分も第１ハウジングの内部に引退している。
したがって、第２ハウジングに備えた接続部に第１プラグを差し込んで使用するときに、第２ハウジングのうちの第１ハウジングの外部に突出している部分が少なくなり、従来に比べて狭いスペースでも使用できる。
【０００７】
本発明の第２特徴構成は、前記第１プラグの前記接続部に対する差し込み方向と、前記第２プラグの前記第２形式の差込口に対する差し込み方向とが互いに交差している点にある。
【０００８】
本構成であれば、第２プラグを第２形式の差込口から抜き出すときに、第２プラグが第２形式の差込口から抜け出る方向に第１ハウジングを引っ張っても、第１プラグが接続部から抜けてしまうおそれが少ない。
したがって、第１ハウジングを引っ張って、第２プラグを第２形式の差込口から抜き出し易い。
【０００９】
本発明の第３特徴構成は、前記第１プラグの前記接続部に対する差し込み方向と、前記第２プラグの前記第２形式の差込口に対する差し込み方向とが互いに交差しない点にある。
【００１０】
本発明の電源装置は、必ずしも上記特徴構成２に示すような、第１プラグの接続部に対する差し込み方向と第２プラグの第２形式の差込口に対する差し込み方向とが必ず交差する必要はない。例えば、第１プラグの接続部に対する差し込み方向と第２プラグの第２形式の差込口に対する差し込み方向とが同一直線上にあったり、互いに略平行である場合には、双方のプラグどうしを接続する方向と第２プラグを第２形式の差込口に差し込む方向とが略同じ方向となる。よって、双方のプラグどうしを接続する動作と、それに続けて第２プラグを第２形式の差込口に差し込む動作とが違和感なく連続して行われる。
また、第２形式の差込口のある場所が狭い場所である場合などには、双方のプラグどうしの接続方向と第２プラグの第２形式の差込口に対する差込方向とが平行な方が操作し易い場合もある。
【００１１】
本発明の第４特徴構成は、前記係合部と前記被係合部との係合で、前記第１プラグの前記接続部に対する差し込み方向と交差する方向への前記第１ハウジングと前記第２ハウジングとの相対変位が規制されている点にある。
【００１２】
本構成であれば、第２プラグを第２形式の差込口から抜き出すときに、第２プラグが第２形式の差込口から抜け出る方向に第１ハウジングを引っ張っても、第１ハウジングと第２ハウジングとが相対変位するおそれが少ない。
したがって、第１ハウジングと第２ハウジングとを引っ張って、第２プラグを第２形式の差込口から抜き出し易い。
【図面の簡単な説明】
【００１３】
【図１】第１ハウジングの斜視図
【図２】第２ハウジングの斜視図
【図３】使用方法を説明する平面図
【図４】使用方法を説明する斜視図
【図５】第１プラグを接続部に差し込んである状態を示す斜視図
【図６】第２実施形態の第２ハウジングの斜視図
【図７】第１プラグを接続部に差し込んである状態を示す斜視図
【図８】第３実施形態の電源装置を示す斜視図
【図９】第４実施形態の電源装置を示す斜視図
【発明を実施するための形態】
【００１４】
以下に本発明の実施の形態を図面に基づいて説明する。
〔第１実施形態〕
図１〜図５は、本発明による電源装置であるＡＣアダプタを示す。
ＡＣアダプタは、図１に示す第１ハウジングＡと、図２に示す第２ハウジングＢとを有している。
【００１５】
第１ハウジングＡは、第１プラグ１を図１（ａ）に示すように第１ハウジングＡの外部に突出した突出姿勢と、図１（ｂ）に示すように第１ハウジングＡの内部に引退した引退姿勢とに切り換え可能に保持していると共に、直流電力の出力ケーブル２と、第１プラグ１に入力された交流電力を直流電力に変換する変換回路（図示せず）とを備えている。
変換回路の入力側は第１プラグ１に電気的に接続され、出力側は出力ケーブル２に電気的に接続されている。
【００１６】
第２ハウジングＢは、図２に示すように、アタッチメントプラグとしての第２プラグ３と、第２プラグ３に電気的に接続され、かつ、第１プラグ１に差し込み可能な接続部４とを備えている。
第１ハウジングＡと第２ハウジングＢの夫々は、絶縁性を備えた樹脂で成形してある。
【００１７】
第１プラグ１は、第１形式の差込口を有する交流電源に差し込み可能なプラグであって、一対の帯状の平板ピン５を互いに平行に対向させて、かつ、間隔を隔てて絶縁性を備えた樹脂製基部６に取り付けてある２枚刃プラグで構成してある。
【００１８】
第２プラグ３は、第２形式の差込口を有する交流電源に差し込み可能なプラグであって、一対の丸ピン７を互いに平行に対向させて、かつ、間隔を隔てて第２ハウジングＢに取り付けてある丸ピンプラグで構成してある。
【００１９】
第１ハウジングＡは、図１に示すように、略矩形の一対のハウジング側面８ａ，８ｂの夫々を各別に形成する側面板部９と、そのハウジング側面８ａ，８ｂの外周に沿った二つ割のハウジング端面１０を形成する端面板部１１とを一体成形してある一対のハウジング部材１２を接合して、平面視で略矩形の箱状に形成してある。
【００２０】
第１ハウジングＡには、第１プラグ１の基部６が嵌合する第１溝部１３と、第２ハウジングＢにおける後述するソケット部１５が嵌合する第２溝部１４とを一連に備えた長溝１６を設けてある。
【００２１】
長溝１６は、一方のハウジング側面８ａの側において第１溝部１３と第２溝部１４とに亘って一定幅で開口する側面開口１７と、溝長手方向の一端側においてハウジング端面１０に開口する端面開口１８とを一連に備えている。
【００２２】
第１溝部１３は、第１プラグ１の基部６が平板ピン５の並設方向に沿う方向から嵌合するように、側面開口１７と同じ一定の溝幅で形成されている。
第２溝部１４は、溝奧側における溝幅が側面開口１７の幅よりも広い蟻溝状に形成してあり、その溝長手方向の一端側がハウジング端面１０に開口する端面開口１８を形成している。
【００２３】
第１溝部１３と第２溝部１４は、溝幅方向の中心線どうしが一連に連続するように配置して一連に連通するように形成してあり、第２溝部１４における側面開口１７の左右両側には、帯板部１９が鍔状に延設されている。
【００２４】
第１プラグ１は、図３にも示すように、基部６が一対の平板ピン５の並設方向に沿う方向から第１溝部１３に嵌合する形状に形成されていて、第１溝部１３の内側に溝幅方向に架設した軸部材２０に揺動自在に支持されている。
【００２５】
よって、第１プラグ１は、平板ピン５の板面を揺動軸芯Ｘの方向に沿わせて、図１（ａ）に示すように一対の平板ピン５がハウジング側面８ａよりも外方に突出している突出姿勢と、図１（ｂ）に示すように一対の平板ピン５が長溝１６の内部に引退した引退姿勢とに切り換え可能に保持されている。
【００２６】
第１プラグ１を引退姿勢に切り換えた状態では、図３，図４に示すように、一対の平板ピン５は溝長手方向に平行な姿勢で第２溝部１４に入り込んでいる。
【００２７】
第２ハウジングＢは、図２に示すように、接続部４を備えたソケット部１５と、一対の丸ピン７が取り付けられた本体部２１とを一体に備え、ソケット部１５を第２溝部１４に対して溝長手方向から嵌合させることにより、図５に示すように、引退姿勢の第１プラグ１が接続部４に差し込まれるように構成してある。
【００２８】
本体部２１は、互いに平行に配置された一対の本体端面２２ａ，２２ｂと、両本体端面２２ａ，２２ｂの外周縁に沿った本体側面２３とを備えた形状に形成され、一対の丸ピン７が一方の本体端面２２ａに直角に取り付けられている。
【００２９】
ソケット部１５は、第２溝部１４に対してその溝長手方向端部の端面開口１８を通して嵌合可能な高さと幅とを有する直方体形状に形成され、本体部２１の丸ピン７が取り付けられていない他方の本体端面２２ｂに対してソケット側面２４が直角となる姿勢で一体に取り付けられている。
【００３０】
ソケット部１５の第２溝部１４に対する嵌合方向（以下、ソケット嵌合方向という。）の先端面２５に、第１プラグ１における平板ピン５を差し込む一対の差し込み孔２６を開口させて、平板ピン５の夫々を差し込み孔２６を差し込むことにより、第１プラグ１を第２プラグ３に電気的に接続可能な接続部４が構成されている。
【００３１】
一対の差し込み孔２６は、ソケット嵌合方向に沿わせて形成して、図３，図４に示すように、ソケット部１５を第２溝部１４に対して溝長手方向から嵌合させるに伴って、引退姿勢に切り換えてある第１プラグ１における一対の平板ピン５が差し込まれるように構成してある。
【００３２】
よって、第１プラグ１の接続部４に対する差し込み方向と、第２プラグ３の交流電源のソケットに対する差し込み方向とが互いに９０度の角度で交差している。
【００３３】
図５に示すように引退姿勢にある第１プラグ１が接続部４に差し込まれるように、第１ハウジングＡと第２ハウジングＢとの相対姿勢を決定する係合部および被係合部を、第１ハウジングＡと第２ハウジングＢとに各別に形成してある。
【００３４】
係合部は、図１，図３に示すように、第１ハウジングＡの第２溝部１４における側面開口１７の左右両側に延設された帯板部１９で構成されている。
被係合部は、図２に示すように、ソケット部１５における本体端面２２ｂからの立ち上がり箇所の左右両側に、ソケット嵌合方向、つまり、第１プラグ１の接続部４に対する差し込み方向に沿って形成した長溝部２７で構成されている。
【００３５】
よって、帯板部１９の夫々を長溝部２７にソケット嵌合方向から係合（嵌合）することにより、引退姿勢にある第１プラグ１が接続部４に差し込まれるように、第１ハウジングＡと第２ハウジングＢとの相対姿勢を決定することができる。
【００３６】
また、帯板部１９の夫々を長溝部２７に係合することにより、第１プラグ１の接続部４に対する差し込み方向と９０度の角度で交差する方向への第１ハウジングＡと第２ハウジングＢとの相対変位が規制される。
【００３７】
図２，図３に示すように、ソケット部１５が設けられている側の本体端面２２ｂには、ソケット部１５が第１ハウジングＡに対してソケット嵌合方向に移動するように案内する凸面部２８が一体に形成されている。
【００３８】
凸面部２８は、長溝部２７の溝底面をソケット嵌合方向に延設して形成した側面部２９を左右に備え、凸面部２８のソケット嵌合方向の先端には、引退姿勢にある第１プラグ１が接続部４に差し込まれるに伴って、第１溝部１３の終端に形成した嵌合穴３０に嵌合する嵌合片３１が一体に形成されている。
【００３９】
よって、凸面部２８を第２溝部１４における側面開口１７に嵌め込み、かつ、本体端面２２ｂをハウジング側面８ａに密着させた状態で、ソケット部１５を第２溝部１４に向けて押し込むことにより、ソケット部１５が第１ハウジングＡに対してソケット嵌合方向に移動するように案内される。
【００４０】
〔第２実施形態〕
図６は、第２形式の差込口を有する交流電源に差し込み可能な第２プラグ３と、当該第２プラグ３に電気的に接続され、第１プラグ１に差し込み可能な接続部４とを備えた第２ハウジングＢの別実施形態を示す。
図７は、ソケット部１５を第２溝部１４に対して溝長手方向から嵌合させることにより、引退姿勢の第１プラグ１が接続部４に差し込まれている状態を示す。
【００４１】
第２プラグ３は、第２形式の差込口を有する交流電源に差し込み可能なプラグであって、三つの帯状の平板ピン５（５ａ，５ｂ）が本体部２１における一方の本体端面２２ａに直角に取り付けられている３枚刃プラグで構成してある。
【００４２】
三つの平板ピン５のうちの二つの平板ピン５ａは互いに平行に対向させて、かつ、間隔を隔てて本体部２１に取り付けてあるとともに、残りの平板ピン５ｂの板面を、二つの平板ピン５ａの板面に直交する方向に沿わせて本体部２１に取り付けてある。
その他の構成は第１実施形態と同様である。
【００４３】
〔第３実施形態〕
図８は、第１プラグ１の接続部４に対する差し込み方向と、第２プラグ３の第２形式の差込口を有する交流電源のソケットに対する差し込み方向とが互いに交差しない本発明による電源装置の別実施形態を示す。図８（ａ）は、第１ハウジングＡと第２ハウジングＢとが離間した状態を示し、図８（ｂ）は、両者を接続した状態を示す。
ここでは、第２ハウジングＢの中央に突出形成したソケット部１５を備え、その両側にガイド部４０を備えた例を示す。ソケット部１５は、第１ハウジングＡの側面開口１７に挿通可能である。第１ハウジングＡの両面にガイド部４０が沿う状態となり、第１ハウジングＡと第２ハウジングＢとの相対姿勢が安定する。この接続状態で、第１プラグ１の延出方向と第２プラグ３の延出方向とが一致する。よって、双方のプラグ１，３を互いに接続する動作と、それに続けて第２プラグ３を第２形式の差込口に差し込む動作とを違和感なく連続して行うことができる。また、第２形式の差込口が室内の隅など狭い場所に設けてある場合には、第１ハウジングＡの平面方向に沿って第２プラグ３を延出させた方が当該第２プラグ３を差し込み易い場合がある。
【００４４】
尚、２本の第２プラグ３は第１ハウジングＡの厚み方向に並べて配置してある。通常、２本構成のプラグに対応する差込みは、２ヵ所の穴が水平方向に向くように設置してある。よって、図８に示す構成であれば、第２プラグ３を第２形式の差込口に差し込む際に、第１ハウジングＡを第２プラグ３に対して下方に位置させることでプラグの差し込み姿勢が安定する。
接続部４に対する第１プラグ１の差し込み方向と、第２プラグ３の第２形式の差込口への差し込み方向とはこのような平行姿勢に限られるものではなく、双方の方向が交差しないあらゆる相対姿勢に設定することができる。その結果、当該プラグの適用箇所が拡がり、当該プラグの利便性が向上する。
【００４５】
なお、第１ハウジングＡの両面に沿うことで第１ハウジングＡと第２ハウジングＢとの相対姿勢を安定させるガイド部４０は必ずしも必要ではなく、係合部である帯板部１９や被係合部である長溝部２７により、相対姿勢を安定させることも当然に可能である。
その他の構成は第１実施形態と同様である。
【００４６】
〔第４実施形態〕
図９（ａ），（ｂ）は、図８の第２プラグ３の代わりに三つの平板ピン５を備えた第２ハウジングＢを第１ハウジングＡに接続した状態を示す。接続態様及び作用効果は上記第３実施形態と同様である。
【００４７】
〔その他の実施形態〕
１．本発明による電源装置は、第１プラグを、第１形式の差込口を有する交流電源に対する差し込み方向に沿う直進移動で、突出姿勢と引退姿勢とに切り換え可能に第１ハウジングに保持されていてもよい。
２．本発明による電源装置は、双方のプラグどうしの接続方向と第２プラグの第２形式の差込口への差し込み方向とが各種姿勢を取り得ることにより利便性が向上する。
【符号の説明】
【００４８】
１  第１プラグ
３  第２プラグ
４  接続部
１９  係合部
２７  被係合部
Ａ  第１ハウジング
Ｂ  第２ハウジング
【図１】
2010251111.tif 000003
【図２】
2010251111.tif 000004
【図３】
2010251111.tif 000005
【図４】
2010251111.tif 000006
【図５】
2010251111.tif 000007
【図６】
2010251111.tif 000008
【図７】
2010251111.tif 000009
【図８】
2010251111.tif 000010
【図９】
2010251111.tif 000011